(57)【要約】【課題】組立性を向上させた照明器具を提供する。【解決手段】実施形態によれば、基板と、基板に設けられた光源と、基板を一面に支持する支持体と、基板を覆う光透過性のカバーと、を含む長尺状の光源モジュールと、光源モジュールに電力を供給する電源装置と、光源モジュールと電源装置とが設けられる長尺状の器具本体と、を備え、器具本体は、一対の反射板部と、一対の反射板部の間に設けられ電源装置の少なくとも一部を収納する収納部と、を有し、収納部は、底板部と、底板部の両側辺から延びる一対の側板部とを有し、一対の反射板部は、外側に向かって延びる第１反射部と、第１反射部から更に外側に向かって延びるとともに光源の光の出射方向に向けて拡開するように傾斜した第２反射部と、を有し、光源モジュールは、器具本体に設けられ、収納部と電源装置とを覆うことを特徴とする照明器具が提供される。【選択図】図１
2018029083.tif 000002
【特許請求の範囲】
【請求項１】
基板と、前記基板に設けられた光源と、前記光源が設けられた前記基板を一面に支持する長尺状の支持体と、前記支持体に取り付けられ前記基板を覆う光透過性のカバーと、を含む長尺状の光源モジュールと；
前記光源モジュールに電力を供給する電源装置と；
前記光源モジュールと前記電源装置とが設けられる長尺状の器具本体と；
を備え、
前記器具本体は、一対の反射板部と、前記一対の反射板部の間に設けられ前記電源装置の少なくとも一部を収納する収納部と、を有し、
前記収納部は、前記支持体と平行となるように配置される底板部と、前記底板部の両側辺から前記光源モジュール側に対して垂直に延びる一対の側板部とを有し、
前記一対の反射板部は、前記側板部から前記底板部と反対側の外側に向かって延びる第１反射部と、前記第１反射部から更に前記外側に向かって延びるとともに前記光源の光の出射方向に向けて拡開するように傾斜した第２反射部と、を有し、
前記光源モジュールは、前記支持体の前記基板を支持する前記一面と反対側の面を前記収納部に対向させ、前記支持体の一部を前記収納部に収納した状態で前記器具本体に設けられ、前記収納部と前記電源装置とを覆うことを特徴とする照明器具。
【請求項２】
前記電源装置は、前記底板部と前記一対の側板部とで囲まれた領域内に少なくとも一部が収納され、
前記一対の反射板部のそれぞれは、前記一対の側板部における前記底板部側とは反対側の端辺から連続するように形成されていることを特徴とする請求項１記載の照明器具。
【請求項３】
前記光源モジュールは、前記一対の反射板部間に前記カバーの少なくとも一部が位置するように設けられ、
前記カバーは、前記基板側から前記光源の光の出射方向に向けて拡開するように傾斜する傾斜部を有し、
前記傾斜部と前記一対の反射板部の少なくとも一部とが対向するように設けられることを特徴とする請求項１又は２に記載の照明器具。
【発明の詳細な説明】
【技術分野】
【０００１】
本発明の実施形態は、照明器具に関する。
【背景技術】
【０００２】
天井などに取り付けられて室内を照明する照明器具がある。室内用の照明器具において、光源モジュールと、この光源モジュールを支持する器具本体と、を含むものがある。光源モジュールは、光源を含む基板を支持する支持体と、支持体に設けられた基板を覆うカバーと、を含む。このような照明器具において、組立性の向上が望まれる。
【先行技術文献】
【特許文献】
【０００３】
【特許文献１】特開２０１２−３９９３号公報
【発明の概要】
【発明が解決しようとする課題】
【０００４】
本発明の実施形態は、組立性を向上させた照明器具を提供する。
【課題を解決するための手段】
【０００５】
本発明の実施形態によれば、基板と、前記基板に設けられた光源と、前記光源が設けられた前記基板を一面に支持する長尺状の支持体と、前記支持体に取り付けられ前記基板を覆う光透過性のカバーと、を含む長尺状の光源モジュールと、前記光源モジュールに電力を供給する電源装置と、前記光源モジュールと前記電源装置とが設けられる長尺状の器具本体と、を備え、前記器具本体は、一対の反射板部と、前記一対の反射板部の間に設けられ前記電源装置の少なくとも一部を収納する収納部と、を有し、前記収納部は、前記支持体と平行となるように配置される底板部と、前記底板部の両側辺から前記光源モジュール側に対して垂直に延びる一対の側板部とを有し、前記一対の反射板部は、前記側板部から前記底板部と反対側の外側に向かって延びる第１反射部と、前記第１反射部から更に前記外側に向かって延びるとともに前記光源の光の出射方向に向けて拡開するように傾斜した第２反射部と、を有し、前記光源モジュールは、前記支持体の前記基板を支持する前記一面と反対側の面を前記収納部に対向させ、前記支持体の一部を前記収納部に収納した状態で前記器具本体に設けられ、前記収納部と前記電源装置とを覆うことを特徴とする照明器具が提供される。
【発明の効果】
【０００６】
組立性を向上させた照明器具が提供される。
【図面の簡単な説明】
【０００７】
【図１】図１（ａ）及び図１（ｂ）は、実施形態に係る照明器具を模式的に表す斜視図である。
【図２】図２（ａ）及び図２（ｂ）は、実施形態に係る光源モジュールを模式的に表す斜視図である。
【図３】実施形態に係る光源モジュールを模式的に表す分解斜視図である。
【図４】図４（ａ）及び図４（ｂ）は、実施形態に係る光源モジュールを模式的に表す断面図である。
【図５】実施形態に係る光源モジュールの一部を拡大して模式的に表す部分斜視図である。
【図６】図６（ａ）及び図６（ｂ）は、実施形態に係る照明器具の器具本体の模式図である。
【図７】図７（ａ）及び図７（ｂ）は、実施形態に係る照明器具の一部を表す模式図である。
【図８】実施形態に係る照明器具の一部を模式的に表す部分断面図である。
【図９】実施形態に係る照明器具の一部を模式的に表す部分平面図である。
【図１０】図１０（ａ）及び図１０（ｂ）は、実施形態に係る照明器具の別の器具本体を表す模式図である。
【発明を実施するための形態】
【０００８】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
図１（ａ）及び図１（ｂ）は、実施形態に係る照明器具を模式的に表す斜視図である。  図１（ａ）及び図１（ｂ）に表したように、照明器具１０は、光源モジュール１２と、電源装置１４と、器具本体１６と、を備える。なお、図１（ｂ）は、光源モジュール１２を取り外した状態を図示している。
【００１０】
光源モジュール１２は、光源を有する。電源装置１４は、外部から供給される電力を光源モジュール１２に対応した電力に変換して、変換後の電力を光源モジュール１２に供給する。光源モジュール１２は、電源装置１４からの電力の供給に応じて光源を点灯させ、光を照射する。
【００１１】
器具本体１６は、光源モジュール１２と電源装置１４とを支持する。この例では、電源装置１４が、器具本体１６に取り付けられている。電源装置１４は、光源モジュール１２に取り付けてもよい。すなわち、器具本体１６は、電源装置１４を直接支持してもよいし、光源モジュール１２を介して電源装置１４を支持してもよい。
【００１２】
照明器具１０は、例えば、光源モジュール１２を下方に向けた状態で室内の天井に取り付けられる。照明器具１０は、光源モジュール１２から照射される光によって、室内を照明する。なお、照明器具１０は、天井に限ることなく、例えば、壁面などに取り付けてもよい。
【００１３】
器具本体１６には、例えば、吊りボルトなどの金具が取り付けられる。照明器具１０は、例えば、こうした金具を介して天井に取り付けられる。照明器具１０は、例えば、天井面と略面一になるように、天井に取り付けられる。すなわち、照明器具１０は、いわゆる埋め込み型の器具である。例えば、器具本体１６をネジなどで室内側から天井に取り付けてもよい。すなわち、照明器具１０は、いわゆる直付け型の器具として用いてもよい。このように、器具本体１６は、光源モジュール１２及び電源装置１４の支持に用いられるとともに、天井などの取付対象への照明器具１０の取り付けに用いられる。
【００１４】
図２（ａ）及び図２（ｂ）は、実施形態に係る光源モジュールを模式的に表す斜視図である。  
図３は、実施形態に係る光源モジュールを模式的に表す分解斜視図である。  
図４（ａ）及び図４（ｂ）は、実施形態に係る光源モジュールを模式的に表す断面図である。  
図５は、実施形態に係る光源モジュールの一部を拡大して模式的に表す部分斜視図である。  
図２〜図５に表したように、光源モジュール１２は、支持体２１と、カバー２２と、保持部材２３と、を備える。
【００１５】
支持体２１は、基板２５を支持する。基板２５は、第１面２５ａと、第２面２５ｂと、を有する。第２面２５ｂは、第１面２５ａと反対側の面である。支持体２１は、第２面２５ｂ側から基板２５を支持する。基板２５は、接着などによって支持体２１に固定してもよいし、ネジ止めなどによって着脱可能に支持体２１に取り付けてもよい。支持体２１は、基板２５を着脱可能に支持してもよい。
【００１６】
基板２５には、光源２６が設けられている。基板２５には、例えば、複数の光源２６が設けられる。各光源２６は、基板２５の第１面２５ａに並べて配置される。基板２５には、例えば、図示を省略した配線層が設けられ、配線層を介して各光源２６のそれぞれが、互いに電気的に接続される。光源２６の数は、任意でよい。光源２６の数は、例えば、１つでもよい。
【００１７】
光源２６には、例えば、発光ダイオード（Light Emitting Diode：ＬＥＤ）が用いられる。光源２６は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。光源２６は、例えば、電球などでもよい。
【００１８】
カバー２２は、支持体２１に取り付けられ、支持体２１に支持された基板２５を覆う。カバー２２は、例えば、外力や塵埃などから基板２５及び各光源２６を保護する。カバー２２は、光透過性を有する。カバー２２は、各光源２６の放出する光に対して光透過性である。カバー２２は、例えば、透明である。カバー２２は、例えば、光拡散性を有してもよい。カバー２２には、例えば、光透過性の樹脂材料が用いられる。
【００１９】
保持部材２３は、カバー２２を支持体２１に保持する。すなわち、保持部材２３は、カバー２２を支持体２１から外れないようにする。光源モジュール１２には、例えば、複数の保持部材２３が設けられる。この例では、３つの保持部材２３が設けられる。保持部材２３の数は、任意でよい。保持部材２３の数は、例えば、１つまたは２つでもよいし、４つ以上でもよい。
【００２０】
支持体２１は、第１部分３１と、第２部分３２と、第３部分３３と、を有する。第１部分３１は、第１方向に延びる表面３１ａと、表面３１ａと反対側の裏面３１ｂと、を有する。第１部分３１は、板状である。第１部分３１は、例えば、第１方向に長い長尺な板である。この例では、表面３１ａ及び裏面３１ｂが、略長方形状である。表面３１ａの形状及び裏面３１ｂの形状は、長方形状に限ることなく、第１方向に延びる任意の形状でよい。また、この例では、裏面３１ｂが、表面３１ａに対して実質的に平行である。
【００２１】
以下では、図中矢線Ｘで表す、第１方向に対して平行な方向（Ｘ軸方向）を「長手方向」と称す。図中矢線Ｙで表す、表面３１ａに対して平行で長手方向に対して垂直な方向（Ｙ軸方向）を「幅方向」と称す。図中矢線Ｚで表す、長手方向及び幅方向に対して垂直な方向（Ｚ軸方向）を「高さ方向」と称す。高さ方向は、表面３１ａに対して垂直な方向である。
【００２２】
第２部分３２は、裏面３１ｂの長手方向に延びる一方の側端３１ｐに設けられる。第２部分３２は、裏面３１ｂの向く方向に延びる。換言すれば、第２部分３２は、表面３１ａから裏面３１ｂに向かう方向に延びる。
【００２３】
第３部分３３は、裏面３１ｂの長手方向に延びる他方の側端３１ｑに設けられる。第３部分３３は、裏面３１ｂの向く方向に延びる。
【００２４】
この例において、支持体２１を長手方向に見た形状は、略Ｕ字状である。第２部分３２及び第３部分３３は、いわゆるリブである。支持体２１を長手方向に見た形状は、例えば、Ｈ字状でもよい。すなわち、第２部分３２及び第３部分３３は、裏面３１ｂの向く方向に少なくとも延びていればよく、表面３１ａの向く方向にさらに延びてもよい。この例では、第２部分３２及び第３部分３３が、裏面３１ｂに対して実質的に垂直な方向に延びる。第２部分３２及び第３部分３３は、裏面３１ｂに対して傾斜してもよい。支持体２１には、例えば、鉄、アルミニウム、または、ステンレスなどの金属材料が用いられる。支持体２１は、例えば、金属板を折り曲げ加工することによって形成される。
【００２５】
また、この例では、支持体２１において、裏面３１ｂの一方の側端３１ｐに沿って長手方向に延びる１つの第２部分３２が設けられている。裏面３１ｂの他方の側端３１ｑに沿って長手方向に延びる１つの第３部分３３が設けられている。これに限ることなく、例えば、長手方向に並ぶ複数の第２部分３２を設けてもよいし、長手方向に並ぶ複数の第３部分３３を設けてもよい。
【００２６】
支持体２１は、表面３１ａで基板２５を支持する。基板２５は、表面３１ａの上に設けられる。支持体２１は、基板２５の第１面２５ａを表面３１ａの向く方向に向けて、基板２５を支持する。これにより、表面３１ａの向く方向に、光が照射される。
【００２７】
また、表面３１ａの幅（幅方向の長さ）は、基板２５の幅よりも長い。このため、表面３１ａの長手方向に延びる一方の端部３１ｍ、及び、表面３１ａの長手方向に延びる他方の端部３１ｎは、基板２５を支持した状態においても、基板２５に覆われない。
【００２８】
カバー２２は、本体部４０と、第１当接部４１と、第２当接部４２と、第１係合部４３と、第２係合部４４と、を有する。
【００２９】
本体部４０は、表面３１ａに支持された基板２５の第１面２５ａと対向し、基板２５を覆う。本体部４０は、例えば、第１面２５ａと対向する第１板部４０ａと、第１板部４０ａの幅方向の一端から第１面２５ａ側に向けて延びる第２板部４０ｂと、第１板部４０ａの幅方向の他端から第１面２５ａ側に向けて延びる第３板部４０ｃと、を含む。
【００３０】
この例では、第２板部４０ｂ及び第３板部４０ｃが、第１面２５ａに対して傾斜している。第２板部４０ｂ及び第３板部４０ｃは、光源モジュール１２の幅方向において、基板２５側から光源２６の光の出射方向に向けて拡開するように傾斜する傾斜部である。第２板部４０ｂと第３板部４０ｃとの間の幅方向の距離Ｄ１は、第１面２５ａから第１板部４０ａに向かう方向（光の出射方向）において長くなる。第２板部４０ｂと第３板部４０ｃとの間の幅方向の距離Ｄ１は、例えば、第１面２５ａから第１板部４０ａに向かう方向において連続的に増加する。すなわち、第２板部４０ｂ及び第３板部４０ｃは、テーパ状である。本体部４０を長手方向に見た形状は、例えば、扇状である。これにより、例えば、光源モジュール１２を天井に設置した場合に、光源モジュール１２から照射される光の一部が、第２板部４０ｂ及び第３板部４０ｃから天井側に向かうようになる。
【００３１】
第１当接部４１は、本体部４０の幅方向の一端に設けられる。第１当接部４１は、例えば、第２板部４０ｂの第１板部４０ａと反対側の端部に設けられる。第１当接部４１は、表面３１ａの一方の側端３１ｍに当接する。
【００３２】
第２当接部４２は、本体部４０の幅方向の他端に設けられる。第２当接部４２は、例えば、第３板部４０ｃの第１板部４０ａと反対側の端部に設けられる。第２当接部４２は、表面３１ａの他方の側端３１ｎに当接する。
【００３３】
この例では、第１当接部４１及び第２当接部４２が、表面３１ａに直接接している。第１当接部４１及び第２当接部４２は、必ずしも表面３１ａに直接接しなくてもよい。第１当接部４１及び第２当接部４２は、他の部材を挟んで表面３１ａに当接してもよい。
【００３４】
第１係合部４３は、本体部４０の幅方向の一端に設けられる。第１係合部４３は、第２部分３２の高さ方向の端部３２ａに係合し、第１当接部４１とともに第２部分３２を挟む。第１係合部４３は、例えば、外側から第２部分３２を覆う。
【００３５】
第２係合部４４は、本体部４０の幅方向の他端に設けられる。第２係合部４４は、第３部分３３の高さ方向の端部３３ａに係合し、第２当接部４２とともに第３部分３３を挟む。第２係合部４４は、例えば、外側から第３部分３３を覆う。
【００３６】
このように、カバー２２は、表面３１ａ側から支持体２１に被せ、各係合部４３、４４を第２部分３２及び第３部分３３に係合させる。これにより、カバー２２が、支持体２１に取り付けられる。
【００３７】
光源モジュール１２は、一対の側板２７、２８をさらに含む。側板２７は、支持体２１及びカバー２２の長手方向の一端に取り付けられる。側板２８は、支持体２１及びカバー２２の長手方向の他端に取り付けられる。側板２７は、カバー２２の長手方向の一端を閉塞する。側板２８は、カバー２２の長手方向の他端を閉塞する。
【００３８】
保持部材２３は、対向部５０と、第１把持部５１と、第２把持部５２と、を有する。対向部５０は、裏面３１ｂと対向する。対向部５０は、例えば、裏面３１ｂに接する。対向部５０の幅方向の長さは、裏面３１ｂの幅方向の長さと実質的に同じか、僅かに短い程度である。
【００３９】
第１把持部５１は、対向部５０の幅方向の一端に設けられる。第１把持部５１は、第２部分３２と第１係合部４３とを挟んで把持する。第１把持部５１は、例えば、板バネ状であり、第２部分３２と第１係合部４３とを挟むことにより、第１係合部４３の係合が解除されてしまうことを抑制する。
【００４０】
第２把持部５２は、対向部５０の幅方向の他端に設けられる。第２把持部５２は、第３部分３３と第２係合部４４とを挟んで把持する。第２把持部５２は、例えば、板バネ状であり、第３部分３３と第２係合部４４とを挟むことにより、第２係合部４４の係合が解除されてしまうことを抑制する。換言すれば、保持部材２３は、各把持部５１、５２で挟むことにより、カバー２２の開きを抑制する。
【００４１】
このように、保持部材２３は、裏面３１ｂ側から支持体２１に取り付けられ、第２部分３２と第１係合部４３とを第１把持部５１で挟み、第３部分３３と第２係合部４４とを第２把持部５２で挟むことにより、カバー２２を支持体２１に保持する。
【００４２】
第１把持部５１には、第１ストッパ部５３が設けられている。第１ストッパ部５３は、第２部分３２に設けられた第１被係合部３２ｂと係合して、第１把持部５１の裏面３１ｂの向く方向（裏面３１ｂから離間する方向）への移動を規制する。
【００４３】
第２把持部５２には、第２ストッパ部５４が設けられている。第２ストッパ部５４は、第３部分３３に設けられた第２被係合部３３ｂと係合して、第２把持部５２の裏面３１ｂの向く方向への移動を規制する。
【００４４】
対向部５０を裏面３１ｂに接触させた状態で、各ストッパ部５３、５４を係合させる。これにより、保持部材２３が、支持体２１に保持される。保持部材２３が、支持体２１から外れてしまうことが抑制される。従って、カバー２２が、支持体２１により適切に保持される。
【００４５】
この例では、支持体２１に対して３つの保持部材２３が取り付けられる。従って、第２部分３２には、３つの第１被係合部３２ｂが、長手方向に並べて設けられる。第３部分３３には、３つの第２被係合部３３ｂが、長手方向に並べて設けられる。例えば、第１被係合部３２ｂ及び第２被係合部３３ｂの設けられた位置が、保持部材２３の取付位置である。
【００４６】
この例では、第１ストッパ部５３及び第２ストッパ部５４が、外側に向かって突出する略半球状の突起であり、第１被係合部３２ｂ及び第２被係合部３３ｂが、略矩形状の貫通孔である。これとは反対に、第１ストッパ部５３及び第２ストッパ部５４を貫通孔とし、第１被係合部３２ｂ及び第２被係合部３３ｂを突起としてもよい。第１ストッパ部５３、第２ストッパ部５４、第１被係合部３２ｂ及び第２被係合部３３ｂのそれぞれの形状は、保持部材２３の抜けを抑制できる任意の形状でよい。
【００４７】
また、この例では、第１ストッパ部５３及び第２ストッパ部５４のそれぞれが、長手方向に並べて２つ設けられている。第１ストッパ部５３及び第２ストッパ部５４のそれぞれの数は、任意である。第１ストッパ部５３及び第２ストッパ部５４のそれぞれは、１つでもよいし、３つ以上でもよい。
【００４８】
第１把持部５１には、一対の抑え部５１ａと、第１爪部５１ｂと、が設けられている。各抑え部５１ａは、長手方向に並べて設けられる。各抑え部５１ａは、略Ｕ字状に折り曲げられ、第２部分３２と第１係合部４３とを挟む部分である。第１爪部５１ｂは、各抑え部５１ａの間に設けられる。第１爪部５１ｂは、裏面３１ｂと実質的に平行な方向において、対向部５０と反対の方向に向かって突出する。第１爪部５１ｂは、例えば、幅方向において、外側に向かって突出する。
【００４９】
第２把持部５２には、一対の抑え部５２ａと、第２爪部５２ｂと、が設けられている。各抑え部５２ａは、長手方向に並べて設けられる。各抑え部５２ａは、略Ｕ字状に折り曲げられ、第３部分３３と第２係合部４４とを挟む部分である。第２爪部５２ｂは、各抑え部５２ａの間に設けられる。第２爪部５２ｂは、裏面３１ｂと実質的に平行な方向において、対向部５０と反対の方向に向かって突出する。第２爪部５２ｂは、例えば、幅方向において、外側に向かって突出する。
【００５０】
各爪部５１ｂ、５２ｂは、光源モジュール１２の器具本体１６への取り付けに用いられる。このように、保持部材２３は、カバー２２の保持に用いられるとともに、光源モジュール１２の器具本体１６への取り付けにも用いられる。
【００５１】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール１２のコストを抑えることができる。例えば、保持部材２３に樹脂材料を用いる場合、保持部材２３は、射出成形などによって形成された１つの部品であることが好ましい。
【００５２】
光源モジュール１２では、支持体２１に基板２５を支持させた後、各係合部４３、４４を係合させてカバー２２を支持体２１に取り付け、保持部材２３でカバー２２を支持体２１に保持する。そして、側板２７でカバー２２の長手方向の一端を塞ぎ、側板２８でカバー２２の長手方向の他端を塞ぐ。これにより、光源モジュール１２が組み立てられる。
【００５３】
カバー２２は、保持部材２３に限ることなく、例えば、ネジ止めなどによって支持体２１に保持させてもよい。但し、保持部材２３でカバー２２を保持する場合には、工具などを用いることなく、光源モジュール１２を組み立てることができる。例えば、ネジを用いる場合に比べて、光源モジュール１２の組立性を向上させることができる。また、ネジを用いる場合に比べて、部品点数を削減することもできる。例えば、光源モジュール１２をコストダウンできる。
【００５４】
図６（ａ）及び図６（ｂ）は、実施形態に係る照明器具の器具本体の模式図である。  
図６（ａ）は、器具本体１６の分解斜視図であり、図６（ｂ）は、器具本体１６の断面図である。  
図１（ｂ）、図６（ａ）及び図６（ｂ）に表したように、器具本体１６は、一対の反射板部６０と、収納部６２と、を有する。収納部６２は、一対の反射板部６０の間に設けられる。収納部６２は、電源装置１４の少なくとも一部を収納する。
【００５５】
この例では、各反射板部６０が、収納部６２と一体に形成されている。各反射板部６０及び収納部６２は、例えば、一枚の板金からなる。各反射板部６０は、例えば、ネジ止めなどによって収納部６２に取り付けてもよい。各反射板部６０は、例えば、接着や溶接などで収納部６２に固定してもよい。器具本体１６には、例えば、鉄、アルミニウム、または、ステンレスなどの金属材料が用いられる。
【００５６】
光源モジュール１２は、支持体２１を収納部６２に対向させて器具本体１６に支持され、収納部６２と電源装置１４とを覆う。各反射板部６０の形状は、実質的に同じである。すなわち、器具本体１６は、幅方向の略中央に光源モジュール１２を配置する。
【００５７】
例えば、２つの光源モジュールを幅方向に並べて配置し、各光源モジュールの間に電源装置を配置する照明器具がある。このような照明器具では、例えば、意匠性の低下の抑制や感電の抑制のために、電源装置を覆う部材などが必要となる。このため、部品点数が多く、組み立てが煩雑であった。また、複数の光源モジュールを用いる場合、モジュール毎の照射光の色や輝度のバラツキが生じてしまう場合がある。さらには、不点灯になる割合も多くなってしまう。
【００５８】
これに対して、本実施形態に係る照明器具１０では、１つの光源モジュール１２を器具本体１６の幅方向の略中央に配置し、光源モジュール１２で電源装置１４及びその収納部６２を覆うようにしている。このため、本実施形態に係る照明器具１０では、光源モジュール１２の数を減らすことができ、かつ、電源装置１４を覆う専用の部材なども不要となる。このように、照明器具１０では、部品点数を削減し、組立性を向上させることができる。さらには、部品点数の削減にともない、照明器具１０のコストを抑えることもできる。また、１つの光源モジュール１２でよいので、照射光の色や輝度のバラツキを抑えることもできる。不点灯の割合を抑えることもできる。
【００５９】
また、ＬＥＤなどの発光素子では、高輝度化が進められている。光源モジュール１２では、例えば、高輝度な発光素子を光源２６に用いる。これにより、例えば、１つの光源モジュール１２でも、低輝度な光源を用いた２つの光源モジュールと同等の明るさを得ることができる。
【００６０】
また、直付け型の照明器具において、反射板と光源を支持する部分とが、別の部品となっている器具がある。この場合、反射板と支持部とを締結する部品も必要となり、部品点数が多く、組み立ても煩雑であった。これに対して、本実施形態に係る照明器具１０では、各反射板部６０が、収納部６２と一体に形成されている。従って、照明器具１０を直付け型として用いた場合には、部品点数をより削減し、組立性をより向上させることができる。
【００６１】
さらに、各反射板部６０と収納部６２とが一体になった器具本体１６に電源装置１４を取り付けた場合には、例えば、反射板と支持部とが別の器具に比べて、放熱面積を増やし、電源装置１４の放熱性を向上させることができる。
【００６２】
収納部６２は、底板部６３と、一対の側板部６４と、を有する。底板部６３は、支持板２１と略平行となるように配置される。底板部６３は、第３面６３ａと、第４面６３ｂと、を有する。第４面６３ｂは、第３面６３ａと反対側の面である。この例では、第４面６３ｂが、第３面６３ａと実質的に平行である。第４面６３ｂは、第３面６３ｂと交差してもよい。底板部６３は、第３面６３ａに対して平行な第１方向（図中矢線Ｘで表す長手方向）に延びる。
【００６３】
各側板部６４は、底板部６３の両側辺から光源モジュール１２側に対して略垂直に延びる。換言すれば、各側板部６４は、第３面６３ａの長手方向に延びる一対の側端６３ｅから第３面６３ａに対して垂直な第２方向（図中矢線Ｚで表す高さ方向）に少なくとも延びる。この例では、各側板部６４が、第３面６３ａに対して垂直な方向に延びる。各側板部６４は、第３面６３ａに対して傾斜してもよい。この例では、各側板部６４のそれぞれが、実質的に平行である。各側板部６４のそれぞれは、非平行でもよい。各側板部６４は、少なくとも高さ方向に延びる成分を有していればよい。
【００６４】
収納部６２は、底板部６３と各側板部６４とで囲まれた領域６６内に、電源装置１４の少なくとも一部を収納する。この例では、電源装置１４が、第３面６３ａの上に設けられる。電源装置１４は、例えば、ネジ止めなどによって底板部６３に取り付けられる。この例では、電源装置１４の全体が、領域６６内に収納される。
【００６５】
一対の反射板部６０のそれぞれは、一対の側板部６４のそれぞれの高さ方向の端部６４ａから、第１方向及び第２方向に対して垂直な第３方向（矢線Ｙで表す幅方向）において、底板部６３と反対の方向に向かって延びる。各反射板部６０は、例えば、幅方向において、領域６６の外側に向かって延びる。
【００６６】
光源モジュール１２は、例えば、一対の反射板部６０間にカバー２２の少なくとも一部が位置するように設けられる。各反射板部６０の少なくとも一部は、光源モジュール１２の第２板部４０ｂ、第３板部４０ｃ（傾斜部）と対向する。各反射板部６０は、第３面６３ａに対して傾斜している。各反射板部６０は、光源モジュール１２の第２板部４０ｂ、第３板部４０ｃにおける傾斜方向と同一方向に傾斜している。すなわち、各反射板部６０は、光の出射方向側に折り曲げられている。各反射板部６０の間の幅方向の距離Ｄ２は、第３面６３ａから光源モジュール１２に向かう方向において、連続的に増加する。なお、反射板部６０の一方と第２板部４０ｂとは、実質的に平行でもよいし、平行でなくてもよい。反射板部６０の他方と第３板部４０ｃとは、実質的に平行でもよいし、平行でなくてもよい。すなわち、「同一方向」とは、各反射板部６０が少なくとも光の出射方向側に向けて拡開する方向であればよい。
【００６７】
反射板部６０の一方は、光源モジュール１２のカバー２２の第２板部４０ｂと対向する。反射板部６０の他方は、第３板部４０ｃと対向する。これにより、第２板部４０ｂ及び第３板部４０ｃから放出された光が、各反射板部６０で反射し、室内側に向かう。これにより、例えば、天井側に暗がりが発生してしまうことなどを抑制することができる。各反射板部６０は、例えば、第３面６３ａと実質的に平行でもよい。
【００６８】
器具本体１６には、例えば、取付部６７と、端子台６８と、がさらに設けられる。取付部６７は、照明器具１０の天井などの取付対象への取り付けに用いられる。取付部６７は、底板部６３に設けられている。この例において、取付部６７は、吊りボルトやネジなどの金具を挿通するための貫通孔状の取付穴である。この例では、長手方向に並ぶ２つの取付部６７が、底板部６３に設けられている。底板部６３の数は、１つでもよいし、３つ以上でもよい。
【００６９】
端子台６８は、例えば、ネジ止めなどにより、底板部６３に取り付けられる。端子台６８は、例えば、外部の電源と電源装置１４との間の電気的な接続や、電源装置１４と各光源２６（基板２５の配線層）との間の電気的な接続などに用いられる。
【００７０】
また、底板部６３には、例えば、電源装置１４に電力を供給する電源ケーブルなどを通すための複数の開口などが、さらに設けられる。
【００７１】
器具本体１６は、一対の第１端板７１（端板）と、一対の第２端板７２と、をさらに含む。各第１端板７１は、長手方向の端部のそれぞれに取り付けられ、収納部６２の端部側を閉塞する。より具体的には、各第１端板７１は、収納部６２の長手方向の一対の端部のそれぞれに取り付けられ、各側板部６４の間に入り込み、収納部６２の長手方向の端部を閉塞する。各第１端板７１は、収納部６２に対し、器具本体１６及び光源モジュール１２の少なくとも一方の外形寸法に応じて上下方向可変に取り付け可能である。各第２端板７２は、収納部６２及び各反射板部６０の長手方向の一対の端部のそれぞれに取り付けられる。各第２端板７２は、収納部６２及び各反射板部６０の長手方向の端部を覆う。また、各第２端板７２は、収納部６２に取り付けられた各第１端板７１を覆う。
【００７２】
図７（ａ）及び図７（ｂ）は、実施形態に係る照明器具の一部を表す模式図である。  
図７（ａ）は、照明器具１０の長手方向の一端を模式的に表す部分断面図である。図７（ｂ）は、照明器具１０の長手方向の一端を模式的に表す部分側面図である。なお、照明器具１０の長手方向の他端は、図７（ａ）及び図７（ｂ）と実質的に同じであるから、図示を省略する。
【００７３】
図７（ａ）及び図７（ｂ）に表したように、第１端板７１は、第１突出部７１ａと、第２突出部７１ｂと、を有する。第１突出部７１ａは、高さ方向の一端に設けられ、領域６６側に向かって長手方向に延びる。第２突出部７１ｂは、高さ方向の一端に設けられ、領域６６側に向かって長手方向に延びる。第１突出部７１ａの長手方向の長さＬ１は、第２突出部７１ｂの長手方向の長さＬ２と異なる。この例では、長さＬ２が、長さＬ１よりも長い。これとは反対に、長さＬ１が、長さＬ２より長くてもよい。
【００７４】
第１端板７１は、第１突出部７１ａまたは第２突出部７１ｂによって、収納部６２の長手方向の端部と光源モジュール１２との間に空く隙間を覆う。この例では、第２突出部７１ｂが、収納部６２の長手方向の端部と光源モジュール１２との間に空く隙間を覆う。これにより、第１端板７１は、領域６６内などの室内側からの視認を抑制する。これにより、例えば、照明器具１０の意匠性を高めることができる。
【００７５】
また、第１端板７１では、第１突出部７１ａまたは第２突出部７１ｂが、例えば、高さ方向において光源モジュール１２の長手方向の端部と重なる。第１突出部７１ａまたは第２突出部７１ｂが、例えば、光源モジュール１２の長手方向の端部と当接する。この例では、第２突出部７１ｂが、光源モジュール１２の側板２７に当接する。これにより、第１端板７１は、例えば、光源モジュール１２を器具本体１６に取り付ける際に、光源モジュール１２の長手方向の端部を支持する。
【００７６】
第１突出部７１ａの幅方向の長さ、及び、第２突出部７１ｂの幅方向の長さは、各側板部６４の間の幅方向の距離と実質的に同じである。これにより、第１端板７１は、例えば、各側板部６４の変形を抑制する。例えば、各側板部６４の間の幅方向の距離が、狭くなってしまうことを抑制する。
【００７７】
埋め込み型の照明器具の場合、例えば、天井側の取付部分（例えば埋込穴）の寸法が、建築によって異なる。このため、埋め込み型の照明器具では、長手方向の長さの異なる複数の製品を用意することが行われている。この場合、器具本体１６の寸法は、天井側の寸法に合わせて変化させる必要がある。光源モジュール１２の寸法も変化させることが望ましいが、寸法の異なる複数種類の光源モジュール１２を用意とすると、例えば、製造コストが増加してしまう。このため、光源モジュール１２は、例えば、異なる寸法の器具本体１６に対して共通に用いられる。このとき、器具本体１６の寸法に応じて、収納部６２の長手方向の端部と光源モジュール１２との間に空く隙間が変化する。
【００７８】
例えば、第１の製品においては、図７（ａ）に表したように、第２突出部７１ｂを光源モジュール１２側に向けて第１端板７１を収納部６２に取り付ける。そして、第１の製品よりも長手方向の長さが短い第２の製品においては、図７（ａ）とは反対に、第１突出部７１ａを光源モジュール１２側に向けて第１端板７１を収納部６２に取り付ける。これにより、例えば、長手方向の長さの異なる２つの製品に、第１端板７１を共通に用いることができる。例えば、品種毎の部品点数を削減することができる。例えば、製造コストをより抑えることができる。
【００７９】
また、照射光の明るさや色の異なる複数種類の光源モジュール１２に対して１種類の器具本体１６を共通に用いることもある。例えば、長手方向の長さの異なる複数の種類の光源モジュール１２を器具本体１６に取り付ける場合に、光源モジュール１２の長さに応じて、第１端板７１の取り付けの向きを変化させてもよい。
【００８０】
第１端板７１は、各側板部６４に設けられた被係合部６４ｂに係合する係合部７１ｃを有する。第１端板７１は、被係合部６４ｂと係合部７１ｃとの係合によって、収納部６２に保持される。係合部７１ｃの高さ方向の位置は、第１端板７１の高さ方向の中心からずれている。被係合部６４ｂの高さ方向の位置は、第１端板７１の取付方向に応じて決定される。これにより、例えば、向きを間違えて第１端板７１を取り付けてしまうことを抑制することができる。
【００８１】
この例では、係合部７１ｃが、外側に向かって突出する略半球状の突起であり、被係合部６４ｂが、略矩形状の貫通孔である。これとは反対に、係合部７１ｃを貫通孔とし、被係合部６４ｂを突起としてもよい。係合部７１ｃ及び被係合部６４ｂのそれぞれの形状は、第１端板７１を保持できる任意の形状でよい。
【００８２】
また、係合部７１ｃの第１端板７１の高さ方向の中心からのズレ量は、可逆的な取り付けを抑制可能な程度に設定されていればよい。なお、光源モジュール１２の長さに応じて、第１端板７１の取り付けの向きを変化させる場合には、第１端板７１の高さ方向の中心付近に係合部７１ｃを配置し、第１端板７１を可逆的に収納部６２に取り付けられるようにしてもよい。
【００８３】
図８は、実施形態に係る照明器具の一部を模式的に表す部分断面図である。  
図８に表したように、光源モジュール１２の一部は、器具本体１６の領域６６内に収納される。例えば、保持部材２３の第１把持部５１及び第２把持部５２が、領域６６内に収納される。
【００８４】
器具本体１６は、取付バネ７４を有する。取付バネ７４は、底板部６３の第４面６３ｂに取り付けられる。すなわち、取付バネ７４は、領域６６の外側に取り付けられている。取付バネ７４は、例えば、ネジやリベットなどによって、第４面６３ｂに取り付けられる。取付バネ７４は、略Ｕ字状に折り曲げられており、底板部６３に沿う部分と、各側板部６４に沿う部分と、を有する。取付バネ７４は、領域６６内に収納された光源モジュール１２の第１爪部５１ｂ及び第２爪部５２ｂと係合し、光源モジュール１２の領域６６から抜ける方向への移動を規制する。
【００８５】
このように、器具本体１６は、取付バネ７４を各爪部５１ｂ、５２ｂに係合させることによって、光源モジュール１２を支持する。この例では、光源モジュール１２に３つの保持部材２３が設けられている。このため、この例では、３つの取付バネ７４が器具本体１６に設けられている。各取付バネ７４は、器具本体１６において、光源モジュール１２の各保持部材２３に対応する位置に取り付けられている。器具本体１６は、各取付バネ７４を各保持部材２３のそれぞれの各爪部５１ｂ、５２ｂに係合させて、光源モジュール１２を支持する。
【００８６】
取付バネ７４には、例えば、鉄、アルミニウム、または、ステンレスなどの金属材料が用いられる。取付バネ７４は、弾性を有する。取付バネ７４は、いわゆる板バネである。取付バネ７４には、例えば、樹脂材料などを用いてもよい。但し、取付バネ７４に金属材料を用いることにより、例えば、耐久性を高めることができる。
【００８７】
各側板部６４のそれぞれには、開口６４ｃが設けられている。開口６４ｃは、幅方向において第１把持部５１または第２把持部５２と対向する位置に配置されている。この例では、光源モジュール１２の３つの保持部材２３のそれぞれに対応して、開口６４ｃが、各側板部６４のそれぞれ３つずつ設けられる（図１（ｂ）参照）。
【００８８】
取付バネ７４の一方の端部７４ａは、略Ｕ字状に折り曲げられ、開口６４ｃを介して領域６６内に入り込んでいる。この端部７４ａが、領域６６に収納された光源モジュール１２の第１爪部５１ｂと係合する。
【００８９】
取付バネ７４の他方の端部７４ｂは、略Ｕ字状に折り曲げられ、開口６４ｃを介して領域６６内に入り込んでいる。この端部７４ｂが、領域６６に収納された光源モジュール１２の第２爪部５２ｂと係合する。
【００９０】
例えば、ネジで光源モジュールを器具本体に取り付ける場合には、ネジ頭が室内側に露出してしまう。また、ネジ止めの場合には、取り付けに工具が必要となり、組み立てが煩雑になる。
【００９１】
これに対して、本実施形態に係る照明器具１０では、取付バネ７４で光源モジュール１２を支持する。取付バネ７４は、光源モジュール１２を支持した場合、光源モジュール１２に覆われる。これにより、取付バネ７４では、例えば、光源モジュール１２を支持する部材が、室内側に露出してしまうことを抑制することができる。例えば、照明器具１０の意匠性を高めることができる。また、取付バネ７４では、取り付けに工具などが必要なく、光源モジュール１２を領域６６内に嵌め込むだけで、光源モジュール１２を器具本体１６に支持させることができる。これにより、照明器具１０の組立性をより向上させることができる。
【００９２】
また、照明器具１０では、各側板部６４に開口６４ｃを設け、取付バネ７４が、開口６４ｃを介して領域６６内に入り込む。このように、各側板部６４に開口６４ｃを設けることで、開口６４ｃや取付バネ７４が室内側に露出してしまうことを、より適切に抑えることができる。
【００９３】
また、各反射板部６０が室内側に向かって傾斜するテーパ状である場合、各側板部６４に設けられた開口は、器具本体１６の高さ方向の中央よりも上側に配置される。これにより、例えば、光源モジュール１２を器具本体１６の高さ方向の略中央に配置することができる。これにより、例えば、各反射板部６０の配光による照度の低下を抑えることができる。例えば、光源モジュール１２が各反射板部６０よりも下方に出過ぎて、グレアの要因となってしまうことを抑えることができる。
【００９４】
器具本体１６では、例えば、基板２５が、各側板部６４の端部６４ａ付近にくるように各開口６４ｃの高さ方向の位置を調整する。例えば、基板２５の第１面２５ａと各側板部６４の端部６４ａとの間の高さ方向の距離が、２０ｍｍ以下になるようにする。これにより、照度の低下やグレアの発生を適切に抑制することができる。
【００９５】
この例では、取付バネ７４が、第１爪部５１ｂと係合する端部７４ａと、第２爪部５２ｂと係合する端部７４ｂと、を有している。取付バネ７４は、例えば、第１爪部５１ｂと係合する端部を有する部品と、第２爪部５２ｂと係合する端部を有する別の部品と、の２つの部品で構成してもよい。
【００９６】
各反射板部６０には、開口６０ａと開口６０ｂとが設けられている。開口６０ａは、高さ方向において取付バネ７４の端部７４ａと対向する位置に配置されている。開口６０ｂは、高さ方向において取付バネ７４の端部７４ｂと対向する位置に配置されている。各開口６０ａ、６０ｂは、各取付バネ７４に対応して設けられる。この例では、３つの開口６０ａ、６０ｂが、各反射板部６０に設けられる。
【００９７】
開口６０ａに棒状の治具を挿し込んで、取付バネ７４の端部７４ａを押し、取付バネ７４を弾性変形させる。すると、端部７４ａの傾斜に沿って、端部７４ａが領域６６から退避する方向に移動し、第１爪部５１ｂと端部７４ａとの係合状態が解除される。
【００９８】
開口６０ｂに棒状の治具を挿し込んで、取付バネ７４の端部７４ｂを押し、取付バネ７４を弾性変形させる。すると、端部７４ｂの傾斜に沿って、端部７４ｂが領域６６から退避する方向に移動し、第２爪部５２ｂと端部７４ｂとの係合状態が解除される。
【００９９】
このように、器具本体１６は、取付バネ７４の係合と、係合状態の解除と、により、光源モジュール１２を着脱可能に支持する。
【０１００】
前述のように、光源モジュール１２のカバー２２においては、本体部４０を長手方向に見た形状が、扇状である。各反射板部６０の各開口６０ａ、６０ｂは、高さ方向において、本体部４０と重なる。これにより、例えば、室内側から見たときに、各開口６０ａ、６０ｂを視認し難くすることができる。例えば、照明器具１０の意匠性を高めることができる。
【０１０１】
図９は、実施形態に係る照明器具の一部を模式的に表す部分平面図である。  
図８及び図９に表したように、底板部６３の第４面６３ｂには、突起６３ｃが設けられている。第４面６３ｂには、例えば、複数の突起６３ｃが設けられる。突起６３ｃの数は、任意でよい。突起６３ｃは、１つでもよい。この例において、突起６３ｃは、半球状である。突起６３ｃの形状は、半球状に限ることなく、第４面６３ｂの向く方向に突出した任意の形状でよい。突起６３ｃの高さ（第４面６３ｂからの高さ方向の長さ）は、例えば、取付バネ７４の厚さ以上である。
【０１０２】
突起６３ｃは、取付バネ７４の近傍に配置される。突起６３ｃと取付バネ７４との間の長手方向の距離Ｄ３は、例えば、３０ｍｍ以下である。すなわち、「取付バネ７４の近傍」とは、距離Ｄ３が、３０ｍｍ以下であることをいう。また、この例では、複数の突起６３ｃが、取付バネ７４を挟んで長手方向の両側に配置されている。突起６３ｃは、取付バネ７４の長手方向の片側のみに設けてもよい。
【０１０３】
例えば、照明器具１０を埋め込み型として用いる場合には、吊りボルトなどの金具を器具本体１６に取り付け、天井の埋込穴などに器具本体１６を取り付ける。また、照明器具１０を直付け型として用いる場合には、各突起６３ｃを天井面に当接させた状態で、器具本体１６を室内側から天井板などにネジ止めする。
【０１０４】
各突起６３ｃは、例えば、照明器具１０を直付け型として用いる場合に、天井面と底板部６３の第４面６３ｂとの間に隙間を生じさせる。これにより、例えば、ネジなどが天井面に当接することを抑制することができる。例えば、器具本体１６と天井面との密着性を高めることができる。例えば、ネジなどが天井面に点接触し、器具本体１６が変形してしまうことを抑制することができる。
【０１０５】
器具本体１６には、例えば、光源モジュール１２の落下を抑制するための少なくとも２本のチェーンが設けられている。例えば、２本のチェーンが、長手方向の両端付近に設けられる。光源モジュール１２の支持体２１の裏面３１ｂには、例えば、各チェーンに対応した複数のフックが設けられている。器具本体１６を天井に取り付けた後、これらの各チェーンの端部を光源モジュール１２のフックに引っ掛けて、光源モジュール１２を吊るす。
【０１０６】
光源モジュール１２を吊るした後、例えば、図示を省略したコネクタを接続することにより、光源モジュール１２と電源装置１４とを電気的に接続する。
【０１０７】
配線の後、光源モジュール１２を傾けた状態で支持体２１の第２部分３２側を領域６６内に入れ、各保持部材２３のそれぞれの第１爪部５１ｂを、各取付バネ７４のそれぞれの端部７４ａに係合させる。この後、光源モジュール１２を水平に戻すようにして支持体２１の第３部分３３側を領域６６内に入れ、各保持部材２３のそれぞれの第２爪部５２ｂを、各取付バネ７４のそれぞれの端部７４ｂに係合させる。
【０１０８】
これにより、光源モジュール１２が器具本体１６に支持され、照明器具１０が天井に取り付けられる。なお、上記と反対に、各第２爪部５２ｂを各端部７４ｂに係合させた後、各第１爪部５１ｂを各端部７４ａに係合させてもよい。
【０１０９】
光源モジュール１２を器具本体１６から取り外す場合には、例えば、各第１爪部５１ｂと各端部７４ａとのそれぞれの係合状態を解除した後、各第２爪部５２ｂと各端部７４ｂとのそれぞれの係合状態を解除する。反対に、各第２爪部５２ｂと各端部７４ｂとのそれぞれの係合状態を解除した後、各第１爪部５１ｂと各端部７４ａとのそれぞれの係合状態を解除してもよい。
【０１１０】
照明器具１０を直付け型として用い、器具本体１６を天井板などにネジ止めする時、例えば、ネジを締め付け過ぎて、器具本体１６を変形させてしまう場合がある。取付バネ７４を係合させて光源モジュール１２を支持する場合に、器具本体１６が変形してしまうと、例えば、取付バネ７４と各爪部５１ｂ、５２ｂとの位置がずれる。これにより、光源モジュール１２が、器具本体１６に対して取り付け難くなったり、外し難くなったりしてしまう。
【０１１１】
本実施形態に係る照明器具１０では、底板部６３の取付バネ７４の近傍に突起６３ｃを設けている。照明器具１０では、器具本体１６を天井面にネジ止めする際に、突起６３ｃが天井面に当接する。これにより、照明器具１０では、取付バネ７４の近傍における器具本体１６の変形を抑えることができる。例えば、器具本体１６に対する光源モジュール１２の着脱を容易に行うことができる。例えば、天井などの取付対象に対する器具本体１６の取り付けを容易にできる。
【０１１２】
突起６３ｃを複数設けることにより、器具本体１６の変形をより適切に抑えることができる。各突起６３ｃを取付バネ７４の長手方向の両側に配置することにより、器具本体１６の変形をさらに抑えることができる。
【０１１３】
例えば、距離Ｄ３を２０ｍｍ以下にする。これにより、器具本体１６の変形をより適切に抑えることができる。例えば、距離Ｄ３を１０ｍｍ以下にする。これにより、器具本体１６の変形をさらに抑えることができる。
【０１１４】
図１０（ａ）及び図１０（ｂ）は、実施形態に係る照明器具の別の器具本体を表す模式図である。  
図１０（ａ）は、別の器具本体８０の分解斜視図であり、図１０（ｂ）は、器具本体８０の一部を表す斜視図である。  
図１０（ａ）及び図１０（ｂ）に表したように、この例の器具本体８０は、一対の端板８２を含む。
【０１１５】
各端板８２は、収納部６２及び各反射板部６０の長手方向の一対の端部のそれぞれに取り付けられる。各端板８２は、収納部６２及び各反射板部６０の長手方向の端部を覆う。各端板８２は、領域６６側に向かって長手方向に延び、各側板部６４の間に入り込む突出部８３を有する。
【０１１６】
各端板８２は、突出部８３によって、収納部６２の長手方向の端部と光源モジュール１２との間に空く隙間を覆う。各端板８２は、領域６６内などの室内側からの視認を抑制し、照明器具１０の意匠性を高める。突出部８３は、例えば、高さ方向において光源モジュール１２の長手方向の端部と重なる。突出部８３は、例えば、光源モジュール１２の長手方向の端部と当接する。各端板８２は、例えば、光源モジュール１２を器具本体１６に取り付ける際に、光源モジュール１２の長手方向の端部を支持する。突出部８３の幅方向の長さは、各側板部６４の間の幅方向の距離と実質的に同じである。各端板８２は、例えば、各側板部６４の変形を抑制する。例えば、各側板部６４の間の幅方向の距離が、狭くなってしまうことを抑制する。
【０１１７】
すなわち、各端板８２は、上記の第１端板７１と第２端板７２とを一体化させたものである。各端板８２を用いた場合には、第１端板７１及び第２端板７２を取り付ける場合に比べて、照明器具１０の部品点数をより削減することができる。例えば、照明器具１０の組立性をより向上させることができる。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
１０…照明器具、１２…光源モジュール、１４…電源装置、１６、８０…器具本体、２１…支持体、２２…カバー、２３…保持部材、２５…基板、２６…光源、２７、２８…側板、３１…第１部分、３２…第２部分、３３…第３部分、４０…本体部、４１…第１当接部、４２…第２当接部、４３…第１係合部、４４…第２係合部、５０…対向部、５１…第１把持部、５２…第２把持部、５３…第１ストッパ部、５４…第２ストッパ部、６０…反射板部、６２…収納部、６３…底板部、６４…側板部、６６…領域、６７…取付部、６８…端子台、７１…第１端板、７２…第２端板、７４…取付バネ、８２…端板、８３…突出部
【図１】
2018029083.tif 000003
【図２】
2018029083.tif 000004
【図３】
2018029083.tif 000005
【図４】
2018029083.tif 000006
【図５】
2018029083.tif 000007
【図６】
2018029083.tif 000008
【図７】
2018029083.tif 000009
【図８】
2018029083.tif 000010
【図９】
2018029083.tif 000011
【図１０】
2018029083.tif 000012